(57)【要約】      （修正有）【課題】無線イヤホンを使用している場合であっても、簡単に耳元を装飾することができる装飾具を提供する。【解決手段】無線通信で音を発するように構成され、使用者の耳に嵌められるイヤホン本体２０と、イヤホン本体から一方向に延設される軸部２１と、を備える無線イヤホン２に装着される装飾具１であって、装飾が施された装飾部１０と、装飾部に取り付けられ、無線イヤホンの軸部先端部に着脱可能な取付部１１と、を備える。【選択図】図１
0003224339.tif 000002
【実用新案登録請求の範囲】
【請求項１】
無線通信で音を発するように構成され、使用者の耳に嵌められるイヤホン本体と、前記イヤホン本体から一方向に延設される軸部と、を備える無線イヤホンに装着される装飾具であって、
装飾が施された装飾部と、
該装飾部に取り付けられ、前記軸部の先端部に着脱可能な取付部と、
を備えることを特徴とする装飾具。
【請求項２】
前記取付部は、前記軸部に外嵌する筒部と、
該筒部の底部を閉塞する底壁部と、
を備えることを特徴とする請求項１に記載の装飾具。
【請求項３】
前記取付部は、前記軸部に外嵌する筒部を備え、
前記筒部の内径は、該筒部の先端部側から底部側へかけて縮径するように構成されることを特徴とする請求項1又は２に記載の装飾具。
【請求項４】
前記取付部は、前記軸部に外嵌する筒部を備え、
該筒部の内面には、径内側へ突設され、前記軸部に外嵌した状態で径外方向に弾性変形する突部を備えることを特徴とする請求項１乃至請求項３のいずれか一項に記載の装飾具。
【請求項５】
前記突部は複数備えられ、径内側への突出高さが高い高突部と、径内側への突出高さが低い低突部と、を含む請求項４に記載の装飾具。
【請求項６】
前記突部は、前記筒部の先端部側から底部側へ該筒部の軸方向に沿って連続して形成される請求項４又は請求項５に記載の装飾具。
【請求項７】
前記突部は、前記筒部の先端部側から底部側へかけて、突部の突出頂部と筒部の中心軸線との距離が略一定の距離となるように構成される請求項６に記載の装飾具。
【請求項８】
前記取付部は、前記軸部に外嵌する筒部と、
該筒部の底部を閉塞する底壁部と、を備え、
前記装飾部は、該底壁部から垂下するように該底壁部に取り付けられる連結索状体と、
該連結索状体の先端に取り付けられ、装飾が施された装飾本体部と、
を備えることを特徴とする請求項１乃至７のいずれか一項に記載の装飾具。
【請求項９】
前記底壁部は、外面から下方に延設される舌片部を備え、
前記連結索状体は、前記舌片部から垂下し、
前記舌片部は、下端側ほど幅が細くなるように幅方向両端部が中央側へ傾斜している請求項８に記載の装飾具。
【請求項１０】
前記取付部は、前記軸部に外嵌される筒部を備え、
前記装飾部は、装飾が施された装飾本体部を備え、
該装飾本体部が前記筒部に固定されることを特徴とする請求項１乃至７のいずれか一項に記載の装飾具。
【請求項１１】
前記取付部は、前記軸部に外嵌される筒部を備え、
該筒部の先端部は、先端縁側ほど肉厚が薄くなるように、外周面が径内側へ傾斜していることを特徴とする請求項１乃至１０のいずれか一項に記載の装飾具。
【考案の詳細な説明】
【技術分野】
【０００１】
本考案は、無線イヤホンに装着する装飾具に関する。
【背景技術】
【０００２】
従来、イヤホンのライン部に取り付けられるアクセサリーが提示されている。このアクセサリーはイヤホンのライン部に着脱可能な着脱構造部と、前記着脱構造部に取り付けられる装飾部材と、を備える。このアクセサリーによれば、着脱構造部をイヤホンのライン部に取り付けることにより、前記着脱構造部に取り付けられる装飾部材をイヤホン使用者の耳の近傍に配置することができる（特許文献１参照）。
【先行技術文献】
【特許文献】
【０００３】
【特許文献１】特開２００７−１４２５３８号公報
【考案の概要】
【考案が解決しようとする課題】
【０００４】
しかし、前記アクセサリーは、着脱構造部をライン部に取り付ける構造であるため、ライン部のない無線イヤホンには取り付けることができなかった。
【０００５】
そこで、本考案は、無線イヤホンを使用している場合であっても、簡単に耳元を装飾することができる装飾具を提供することを目的とする。
【課題を解決するための手段】
【０００６】
本考案は、無線通信で音を発するように構成され、使用者の耳に嵌められるイヤホン本体と、前記イヤホン本体から一方向に延設される軸部と、を備える無線イヤホンに装着される装飾具であって、装飾が施された装飾部と、該装飾部に取り付けられ、前記軸部の先端部に着脱可能な取付部と、を備えることを特徴とする。
【０００７】
前記装飾具によれば、取付部を前記軸部の先端部に取り付けることにより、前記装飾部を無線イヤホンに取り付けることができ、無線イヤホンの使用者の耳元を装飾することができる。
【０００８】
また、前記取付部は、前記軸部に外嵌される筒部と、該筒部の底部を閉塞する底壁部と、を備えるようにすることもできる。
【０００９】
前記装飾具によれば、筒部に無線イヤホンの軸部を外嵌することにより、例えば、軸部の先端部に先端構造として充電用端子などが設けられている無線イヤホンの軸部を覆うことができる。
【００１０】
また、前記取付部は、前記軸部に外嵌される筒部を備え、前記筒部の内径は、該筒部の先端部側から底部側へかけて縮径するように構成することもできる。
【００１１】
前記装飾具によれば、筒部の先端部側ほど筒部の内径が大きいため、無線イヤホンの軸部を挿入誘導しやすい。
【００１２】
また、前記取付部は、前記軸部に外嵌される筒部を備え、前記筒部の内面には、径内側へ突設され、前記軸部に外嵌された状態で径外方向に弾性変形する突部を備えるように構成することもできる。
【００１３】
前記装飾具によれば、軸部に筒部を外嵌したとき、突部の弾性変形による復元力で軸部を保持するから、軸部の先端部に装着しても外れにくい。
【００１４】
また、前記突部は複数備えられ、径内側への突出高さが高い高突部と、径内側への突出高さが低い低突部と、を含むことができる。
【００１５】
前記装飾具によれば、高突部と低突部とを含むことで、軸部に対しての弾性復元力による保持力の大きい部分と小さい部分と、ができる。よって、軸部に筒部を外嵌しやすく、しかも外嵌した後は外れ難くすることができる。
【００１６】
また、前記突部は、前記筒部の先端部側から底部側へ前記筒部の軸方向に沿って連続して形成することができる。
【００１７】
前記装飾具によれば、軸部の先端部を軸方向に沿って保持することができ、しっかりと保持できる。
【００１８】
また、前記突部は、前記筒部の先端部側から底部側へかけて、突部の突出頂部と筒部の中心軸線との間の距離が略一定の距離になるように構成することができる。
【００１９】
前記装飾具によれば、突部の突出頂部と筒部の中心軸線との間の距離が略一定となるので、無線イヤホンの軸部を筒部の先端部側から底部側にかけて、均一に保持することができる。
【００２０】
また、前記取付部は、前記軸部に外嵌される筒部と、該筒部の底部を閉塞する底壁部と、を備え、前記装飾部は、前記底壁部から垂下するように前記底壁部に取り付けられる連結索状体と、該連結索状体の先端に取り付けられ、装飾が施された装飾本体部と、を備えることができる。
【００２１】
前記装飾具によれば、軸部の先端部から連続するように装飾部が垂下し、しかも、装飾本体部が連結索状体を介して揺れ動くため、耳たぶから垂下するような自然な装飾感が得られる。
【００２２】
また、前記底壁部は、外面から下方に延設される舌片部を備え、前記連結索状体は、前記舌片部から垂下し、前記舌片部は、下端側ほど幅が細くなるように幅方向両端部が中央側へ傾斜していることを特徴とする。
【００２３】
前記装飾具によれば、取付部の下端側が舌片部によって徐々に細くなるので、取付部から装飾部へ連続的につながった自然な外観が得られる。
【００２４】
また、前記取付部は、前記軸部に外嵌される筒部を備え、前記装飾部は、装飾が施された装飾本体部を備え、該装飾本体部が前記筒部に固定されることを特徴とする。
【００２５】
前記装飾具によれば、使用者の耳たぶにイヤリングを固定したような自然な装飾感が得られる。
【００２６】
また、前記取付部は、前記軸部に外嵌される筒部を備え、該筒部の先端部は、先端縁側ほど肉厚が薄くなるように、外周面が径内側へ傾斜していることを特徴とする。
【００２７】
前記装飾具によれば、無線イヤホンの軸部を筒部に挿し込んだときに、無線イヤホンの軸部と取付部が、段差なく連続するような自然な外観となる。
【考案の効果】
【００２８】
本考案の装飾具によれば、無線イヤホンに装飾具を取り付けることができるため、使用者が無線イヤホンを使用している場合であっても、簡単に耳元を装飾することができる。
【図面の簡単な説明】
【００２９】
【図１】本考案の実施形態に係る装飾具の正面図である。
【図２】同実施形態の装飾具の側面図である。
【図３】同実施形態の装飾具の平面図である。
【図４】図３のＩＶ―ＩＶ方向における軸方向断面図である。
【図５】同実施形態の装飾具を無線イヤホンに装着した状態を示す軸方向断面図である。
【考案を実施するための形態】
【００３０】
本考案の実施形態に係る装飾具１は、無線イヤホン２の使用者の耳元を簡単に装飾することができる手段を備える。以下、図１〜図５を参考にしつつ、本実施形態の装飾具１について説明する。
【００３１】
まず、本実施形態の装飾具１の構成について説明する。本実施形態の装飾具１は、図１に示すように、無線イヤホン２に装着されるものであって、装飾が施された装飾部１０と、前記装飾部１０に取り付けられた取付部１１と、を備える。また、前記取付部１１を介して、装飾部１０が無線イヤホン２に装着されている。
【００３２】
無線イヤホン２は、使用者の耳に装着されるイヤホン本体２０と、前記イヤホン本体２０から一方向に延設される軸部２１と、を備える。具体的に、軸部２１は、平面視楕円形状（図３を参照）であって、図１に示すように、前記イヤホン本体２０から軸方向下側に向かって略直進に伸びるように形成されている。また、前記軸部２１の先端部２１０は、図４に示すように、先端構造として凹状の充電用端子２１１を備えるとともに、該充電用端子２１１（先端構造）の周囲に全周に亘って環状に形成される周縁部２１２を備える。そして、前記無線イヤホン２は、スマートフォンやパソコンなどの音楽記録装置と無線通信を行い、前記音楽記録装置から送られたデジタル信号を音に変換し、イヤホン本体２０から音を発する。本実施形態において、前記軸部２１は、先端部２１０側から後述する筒部１１０に挿入される。
【００３３】
前記取付部１１は、前記軸部２１の先端部２１０に着脱可能な筒状体である。具体的には、前記取付部１１は、弾性素材、例えばポリプロピレンなどで形成されている。そのため、取付部１１は弾性変形可能に形成されている。本実施形態では、取付部１１は、図２に示すように、無線イヤホン２の軸部２１の先端部２１０に外嵌される筒部１１０と、前記筒部１１０の底部を閉塞する底壁部１１１と、を備える。
【００３４】
前記筒部１１０は、無線イヤホン２の軸部２１を挿入することができる筒状であり、図４に示すように、前記筒部１１０の内径φＡが軸部２１の外径φＸと同等又は外径φＸより大きく形成されている。また、前記筒部１１０の内径は、先端部１１００側から底部１１０４側へむけて縮径している。即ち、筒部１１０の内面は、先端部１１００側が大径で底部１１０４側が小径のテーパ形状である。そして、本実施形態では、前記筒部１１０は、先端部１１００側から底部１１０４側へ進むにつれて、内径が径内方向に縮径する筒状であり、先端部１１００に位置する前記筒部１１０の内径φＡが外径φＸより大きく形成されている。そのため、前記筒部内１１０内に軸部２１を挿入することができる。また、本実施形態では、図３に示すように、前記筒部１１０は、前述した軸部２１に適合するように、平面視楕円形状（断面楕円形状の筒状体）に形成されている。すなわち、筒部１１０の内面は、断面楕円状の楕円筒状である。
【００３５】
前記筒部１１０には、径内側へ突設する突部１１０１が形成されている。具体的には、図３に示すように、前記突部１１０１が筒部１１０の内面から径内方向に突設されている。また、前記突部１１０１は、筒部１１０の内面上に周方向に間隔をあけて複数（本実施形態では４つ）設けられている。前記複数の突部１１０１は、平面視短軸方向と長軸方向のそれぞれに対向するように設けられている。具体的には、前記突部１１０１は、径内側への突出高さが高い高突部１１０２と、径内側への突出高さが低い低突部１１０３と、を備えている。本実施形態では、図３に示すように、高突部１１０２は筒部１１０の楕円筒状の長軸上に対向するように一対設けられ、低突部１１０３は楕円筒状の短軸上に対向するように一対設けられている。そのため、図３において、筒部１１０は複数の突部１１０１により四方向で縮径している。すなわち、前述した通り、前記軸部２１は、楕円形状の断面を有し、前記筒部１１０の内面は、前記軸部２１の楕円形状に適合する楕円形状に形成され、前記高突部１１０２は、楕円形状の長軸上で対向するように一対設けられ、また、低突部１１０３は、前記楕円形状の短軸上で対向するように一対設けられている。
【００３６】
また、前記突部１１０１は、筒部１１０の先端部１１００側から底部１１０４側に向かって連続して形成されている。具体的に、本実施形態では、図４に示すように、突部１１０１は、筒部１１０の先端縁１１０５より軸方向下側に所定距離離間した位置から底部１１０４側に連続して形成されている。そのため、筒部１１０において、先端縁１１０５より軸方向下側に所定距離離間した位置から底部１１０４までの内径はφＢとなる。一方で、先端縁１１０５から軸方向下側に所定距離離間した位置までは突部１１０１が形成されていないため、前記突部１１０１により、筒部１１０は縮径していない。よって、先端縁１１０５から前記突部１１０１までの筒部１１０の内径はφＢより大きく、先端部１１００の内径φＡとなる。また、筒部１１０の内面のうち、突部１１０１が形成され、径方向に縮径した筒部１１０の内径φＢ（具体的に、対向する突部１１０１間の距離）は、前記筒部１１０の内径φＡより小さい。さらに、前記筒部１１０の内径φＢは、軸部２１の外径φＸより小さい大きさである。本実施形態において、前記筒部１１０の内径φＢは、図４に示すように、軸部２１の外径φＸより小さい。
【００３７】
前記突部１１０１は、弾性変形可能に形成されている。具体的に、本実施形態では、前記突部１１０１は取付部１１と同様に、弾性素材、例えばポリプロピレンなどにより形成されている。よって、軸部２１を筒部１１０内に挿入する際には、突部１１０１が径外方向に弾性変形する。そして、筒部１１０を軸部２１に外嵌した状態では、径外方向に弾性変形した突部１１０１の径内方向への弾性復元力により、筒部１１０が軸部２１から外れ難くなる。
【００３８】
さらに、前記突部１１０１は、筒部１１０の先端部１１００側から底部１１０４側へかけて、前記突部１１０１の突出頂部と筒部１１０の中心軸線Ｌとの距離が略一定の距離になるように構成されている。そのため、無線イヤホン２の軸部２１を筒部１１０の先端部１１００側から底部１１０４側にかけて均一に保持することができる。具体的には、図４に示すように、高突部１１０２の突出頂部から中心軸線Ｌとの距離φＣは一定である。よって、筒部１１０の内径φＢも一定である。本実施形態では、筒部１１０の内径は、先端部１１００側から底部１１０４側へむけて縮径するテーパ状である。また、前記高突部１１０２の突出頂部と筒部１１０の中心軸線Ｌとの距離φＣが略一定になるように形成されている。そのため、前記高突部１１０２の筒部１１０の内面からの突出高さは、筒部１１０の先端部１１００側から底部１１０４側に進むにつれて、徐々に低くなる。よって、無線イヤホン２の軸部２１をテーパで挿入誘導しやすく、かつ、しっかり保持できる。なお、図示しないが、筒部１１０の先端部１１００側から底部１１０４側へかけて、低突部１１０３の突出頂部から中心軸線Ｌとの距離（図示しない）は一定の距離であり、前記楕円形状の短軸上における筒部１１０の内径（図示しない）も一定である。また、前記低突部１１０３の筒部１１０の内面からの突出高さは、筒部１１０の先端部１１００側から底部１１０４側に進むにつれて、徐々に小さくなっている。
【００３９】
また、本実施形態において、前記突部１１０１は、軸方向及び径内方向において面取りされ、丸みを帯びている。
【００４０】
前記取付部１１に備えられる底壁部１１１は、筒部１１０の底部１１０４を閉塞している。具体的には、前記底壁部１１１は、筒部１１０の底部１１０４から連続するように設けられている。本実施形態では、前記底壁部１１１の内面は、前記筒部１１０の内面から連続するように設けられている。また、図５に示すように、前記底壁部１１１の内面は筒部１１０内に挿入された軸部２１の先端部２１０と向かい合うように形成されている。さらに、図３及び図４に示すように、底壁部１１１の内面側には、凹部１１１０が形成されている。具体的には、前記凹部１１１０は、筒部１１０に挿入された軸部２１の先端部２１０から軸方向下側の位置に設けられている。
【００４１】
さらに、底壁部１１１は、前記凹部１１１０の周囲に環状に形成されて、前記軸部２１の先端部２１０における周縁部２１２に当接する当接部１１１１を備える。本実施形態では、図３に示すように、前記当接部１１１１は、底壁部１１１の内面の前記凹部１１１０を囲むように円環状に形成されている。
【００４２】
底壁部１１１の外面には、下方に延設される舌片部１１１２が備えられている。前記舌片部１１１２は、軸方向下側ほど幅狭になるように、幅方向両端部が中央側に傾斜して形成されている。具体的に、前記舌片部１１１２は、図４に示す通り、底壁部１１１の上端から下端側に幅狭に傾斜する緩斜部１１１３と、前記緩斜部１１１３から下方に伸びるとともに、前記緩斜部１１１３より幅狭で、かつ、急勾配な急斜部１１１４と、前記急斜部１１１４より下方側に位置し、かつ、幅方向に形成された底端部１１１５と、を備える。そして、前記緩斜部１１１３は、径内方向に傾斜するように、肉厚が薄く削られている。そのため、前記緩斜部１１１３は径内側に傾斜している。さらに、前記急斜部１１１４は、前記緩斜部１１１３より径内側に傾斜するように肉厚が削られている。加えて、本実施形態では、前記底端部１１１５は、前記急斜部１１１４より径内方向に設けられている。このように、舌片部１１１２は、両側面部が上端から底端へ向けて中央側に傾斜しており、これにより、底端（下端）側ほど幅が狭くなっている。
【００４３】
前記舌片部１１１２の外面上には、後述する連結索状体１００を取り付けるための手段が設けられている。具体的には、図２に示す通り、前記舌片部１１１２の外面上に、径内方向に貫通する挿通孔１１１７が形成されている。そして、前記挿通孔１１１７から後述する連結索状体１００が取り付けられ、垂下している。さらに、本実施形態では、図１に示すように、舌片部１１１２の厚み方向の両面部は、厚み方向に凸となるように湾曲する湾曲部１１１６として形成されている。そして、前記挿通孔１１１７は、前記湾曲部１１１６を貫通するように、図２に示す舌片部１１１２の外面上に設けられている。
【００４４】
前記装飾部１０は、取付部１１から垂下するように取り付けられている。図１及び図２では、前記装飾部１０は、取付部１１の底部から軸方向下側に伸びるように形成されている。また、前記装飾部１０は、前記底壁部１１１に取り付けられた連結索状体１００と、前記連結索状体１００の先端に取り付けられ、装飾が施された装飾本体部１０１と、を備える。前記連結索状体１００は、後端が前記挿通孔１１１７に挿通されることにより、前記底壁部１１１に取り付けられている。本実施形態では、前記連結索状体１００は、図１及び図２に示すように、金属製のリング部材が複数鎖状に連続して構成されている。また、前記複数のリング部材のうち、一つのリング部材が前記挿通孔１１１７に挿通されることにより、連結索状体１００は前記底壁部１１１に取り付けられる。
【００４５】
前記装飾本体部１０１は、取付部１１に取り付けられることにより、無線イヤホン２の使用者の耳元を装飾することができる。具体的に、装飾本体部１０１は、前記連結索状体１００を介して取付部１１に取り付けられている。本実施形態では、図１に示すように、装飾本体部１０１は星状チャームと鈴チャームの二つのチャームからなる。そして、前記装飾本体部１０１は、連結索状体１００を形成する複数のリング部材のうち、先端（軸方向における最下）側のリング部材に取り付けられている。
【００４６】
前記筒部１１０の先端部１１００は、縁側ほど肉厚が薄くなるように、外周面が径内方向に傾斜している。具体的には、図４に示すように、筒部１１０の先端部１１００は、先端縁１１０５側ほど肉厚が薄くなるように、外周面が径内方向へ傾斜するように構成されている。本実施形態では、先端部１１００は、内周面が円筒状に形成され、外周面が径外向きに凸となるように湾曲した傾斜面状に形成されている。そして、内周面と外周面とが、径方向内側の縁部（先端縁１１０５）を形成するようにつながっている。よって、筒部１１０の先端部１１００は、先端縁１１０５側ほど肉厚が薄くなるように、外周面が径内方向に傾斜しているのである。
【００４７】
以上が本実施形態の装飾具１の構成に関する説明である。続いて、本実施形態の装飾具１の使用方法について説明する。
【００４８】
本実施形態の装飾具１により、使用者の耳元を装飾するためには、装飾具１を無線イヤホン２に装着する。具体的には、無線イヤホン２に装飾具１を装着するためには、無線イヤホン２の軸部２１に装飾部１０が取り付けられた取付部１１を取り付ける必要がある。そのため、無線イヤホン２の使用者は、軸部２１の先端部２１０を筒部１１０の先端部１１００側から筒部１１０内に挿入する。ここで、本実施形態において、取付部１１が備える筒部１１０の内径φＡは前記無線イヤホン２の軸部２１の外径φＸより大きい。そのため、挿入初めにおいては、軸部２１を筒部１１０内に容易に挿入できる。
【００４９】
一方で、前記筒部１１０の内面には、径内方向に突設する複数の突部１１０１（高突部１１０２及び低突部１１０３）が形成されている。前記複数の突部１１０１は、筒部１１０の先端縁１１０５より軸方向下側に所定距離離間した位置から底部１１０４に向かって連続して形成されている。そのため、図４に示すように、前記複数の突部１１０１によって、筒部１１０の内径はφＢに縮径している。そして、前記突部１１０１によって縮径した筒部１１０の内径φＢは、無線イヤホン２の軸部２１の外径φＸより小さい。ここで、前記突部１１０１は、弾性素材で弾性変形可能に形成されている。そのため、軸部２１を筒部１１０の軸方向下側に進行させる際は、突部１１０１が径外方向に弾性変形され、筒部１１０の内径φＢが拡径される。よって、筒部１１０内に挿入された軸部２１を軸方向下側に動かし、図５に示すように、筒部１１０内により深く挿入できる。そして、軸部２１の充電用端子２１１が底壁部１１１の凹部１１１０に対向し、軸部２１の周縁部２１２が当接部１１１１に当接した状態まで挿入されると、装着が完了する。
【００５０】
以上、本考案の実施形態に係る装飾具１によれば、取付部１１を軸部２１の先端部２１０に取り付けることにより、前記装飾部１０を無線イヤホン２に取り付けることができるため、使用者が無線イヤホン２を使用している場合であっても、簡単に耳元を装飾することができる。また、前記取付部１１が軸部２１の先端部２１０に取り付けられていることにより、無線イヤホン２に装飾部１０が取り付けられているような自然な外観とすることができる。
【００５１】
また、本実施形態の装飾具１は、無線通信の妨げとならないため、音楽記録装置と無線イヤホン２との間で無線通信を行われている状態においても、無線イヤホン２に装飾具１を装着することができる。
【００５２】
また、本実施形態においては、筒部１１０は内面が楕円筒状に形成されているため、前記軸部２１に適合できるとともに、図１及び図２に示すような向きで、無線イヤホン２に装飾具１を取り付けることができる。さらに、前記筒部１１０の内径は、先端部１１００側から底部１１０４側へむけて縮径しているため、筒部１１０の先端部１１００側ほど筒部１１０の内径が大きく（具体的には、筒部１１０の先端部１１００においてφＡ）、無線イヤホン２の軸部２１を挿入誘導しやすい。
【００５３】
また、本実施形態においては、前記突部１１０１のみが軸部２１の外径に接触して弾性変形するため、軸部２１を軸方向に動かして、無線イヤホン２に取付部１１を着脱させる際、弾性変形するのが突部１１０１だけなので、抵抗が小さい。加えて、前記突部１１０１は、径方向及び軸方向において丸みを帯びているため、軸部２１との角あたりをなくすことができ、スムーズに挿入することができる。
【００５４】
また、前記突部１１０１は、弾性変形可能に形成されているため、軸部２１の挿入後においては、弾性復元力により、しっかりと軸部２１を保持することができる。さらに、前記突部１１０１は、高突部１１０２と低突部１１０３を含むため、軸部２１に対しての弾性復元力による保持力の大きい部分と小さい部分と、ができる。よって、軸部２１に筒部１１０を挿入しやすく、しかも外れ難くすることができる。加えて、前記高突部１１０２は、筒部１１０の楕円筒状の長軸上に、前記低突部１１０３は楕円筒状の短軸上に、それぞれ対向するように一対形成されている。そのため、軸部２１を前記長軸方向で強く保持でき、短軸方向では弱く保持できる。よって、前記軸部２１を筒部１１０に挿入しやすく、挿入した後は外れ難い。すなわち、軸部２１を短軸方向で弱く保持でき、取付部１１を軸部２１に嵌め易くできるとともに、軸部２１を長軸方向で強く保持することで、無線イヤホン２に装着した装飾具１を外れ難くすることができる。
【００５５】
また、前記突部１１０１は、筒部１１０の先端部１１００側から底部１１０４側へ連続して形成されている。そのため、軸部２１の先端部２１０を軸方向に沿ってしっかりと保持できる。さらに、前記筒部１１０に連続して形成された突部１１０１は、図４に示すように、筒部１１０の先端部１１００側から底部１１０４側へかけて、前記突部１１０１の突出頂部と筒部１１０の中心軸線Ｌとの間の距離が略一定の距離になるように構成されている。そのため、無線イヤホン２の軸部２１を筒部１１０の先端部１１００側から底部１１０４側にかけて均一に保持することができる。
【００５６】
また、前記筒部１１０の底部１１０４側は、底壁部１１１により閉塞されている。そのため、無線イヤホン２の軸部２１を筒部１１０の底部１１０４側まで挿入したとき、軸部２１の先端部２１０は、底壁部１１１により覆われる。よって、前記先端部２１０に充電用端子２１１などの先端構造が設けられている無線イヤホン２の軸部２１を取付部１１により覆うことができる。これにより、取付部１１の外に存在するゴミや水などが前記先端構造に接触することを避けることができる。また、底壁部１１１の内面には、凹部１１１０と当接部１１１１が形成されている。そして、無線イヤホンの軸部２１を筒部１１０内に挿入した際、軸部２１の周縁部２１２が当接部１１１１に当接される。さらに、前記底壁部１１１に形成された凹部１１１０により、底壁部１１１は、軸部２１の前記先端構造（充電用端子２１１）と触れない。そのため、軸部２１の先端部２１０に設けられた前記先端構造にゴミや水分などが付着することを避けることができる。すなわち、無線イヤホン２の軸部２１を筒部１１０に挿入した際、底壁部１１１の内面側に形成された凹部１１１０により、底壁部１１１の内面が無線イヤホン２の軸部２１の先端構造に触れないように、底壁部１１１で軸部２１の先端部２１０を覆うことができる。加えて、軸部２１の先端部２１０における前記周縁部２１２を当接部１１１１に当接させることにより、筒部１１０の外から軸部２１の先端構造（充電用端子２１１）にゴミや水分が浸入することを防ぐことができる。
【００５７】
また、前記筒部１１０の外周面は、その先端部分が筒部１１０の先端部１１００側に進むにつれて径内方向に傾斜している。よって、無線イヤホン２に装飾具１を装着した際、前記軸部２１と取付部１１による軸方向の段差が目立たず、軸部２１と取付部１１が連続するような自然な外観とすることができる。また、イヤホン使用者が装飾具１を装着した無線イヤホン２を使用する際は、前記段差を気にすることがない。さらに、第三者からは軸部２１と取付部１１が一体になっているように見え、イヤホン使用者の耳から装飾本体部１０１が垂下している自然な外観にすることができる。
【００５８】
また、舌片部１１１２の外面上において、径内方向に貫通するように設けられた挿通孔１１１７に連結索状体１００を挿通させることにより、前記連結索状体１００を介して装飾部１０を取付部１１に取り付けることができる。そして、前記取付部１１が軸部２１に取り付けられることにより、軸部２１の先端部２１０から連続するように装飾部１０が垂下し、しかも、装飾本体部１０１が連結索状体１００を介して揺れ動くため、耳たぶから垂下するような自然な装飾感が得られる。
【００５９】
また、前記舌片部１１１２が軸方向下側に進行するにつれて、徐々に細くなるので、取付部１１から装飾部１０へ連続的につながった自然な外観が得られる。さらに、緩斜部１１１３より径内方向に傾斜するように形成された急斜部１１１４によって、連結索状体１００が左右に動きやすくなる。よって、取付部１１に取り付けられた装飾部１０をより大きく揺動させることができる。
【００６０】
また、舌片部１１１２の厚み方向の両面部は、湾曲部１１１６である。そのため、装飾具１を無線イヤホン２に着脱させる際、使用者の指を前記湾曲部１１１６にフィットさせることで、取付部１１が摘まみやすくなる。
【００６１】
また、本実施形態の装飾具１において、装飾本体部１０１は、連結索状体１００の先端側のリング部材に取り付けられている。そのため、リング部材と星状チャームや鈴チャームが重なることがなく、見栄えが良い。
【００６２】
また、本考案の装飾具は、上記実施形態に限定されるものではなく、本考案の要旨を逸脱しない範囲内において種々変更を加え得ることは勿論である。たとえば、上記実施形態の構成に他の構成を加えることができ、また、上記実施形態の構成の一部を他の構成に置き換えることができる。さらに、上記実施形態の構成の一部を削除することもできる。
【００６３】
例えば、上記実施形態の装飾具１において、取付部の構成と、装飾部の構成が異なるように変更を加えてもよい。すなわち、種々の変更を加えた装飾具の一例としては、取付部は、無線イヤホンの軸部に着脱可能な筒部を備え、装飾部は、装飾が施された装飾本体部を備え、前記装飾本体部が筒部に固定されるようにすることができる。具体的には、前記軸部に外嵌される筒部は、軸部を挿通可能な筒状であって、装飾本体部は、前記筒部の側面に取り付けられる。また、前記筒部は、弾性変形可能に形成され、前記筒部の内径は、軸部の外径より小さい。前記弾性変形可能な素材としては、例えば、ゴムなどの弾性体が挙げられる。さらに、前記装飾本体部は、平板面が筒部の側面に固定されている。
【００６４】
前記構成の装飾具によれば、筒部内に無線イヤホンの軸部を挿入させる際、筒部が弾性変形可能であるため、筒部の内径を拡径させながら軸部が筒部内に挿入される。また、前記筒部は、軸部を挿通可能な筒状であるため、前記軸部を挿通させることができる。さらに、前記筒部は、弾性変形可能であるため、軸部の挿通させた後の拡径した筒部は、弾性復元力により径内方向に縮径しようとする。そのため、取り付けた後の装飾具は、無線イヤホンの軸部から外れ難くすることができる。よって、装飾具を簡単に無線イヤホンに取り付けることができる。
【００６５】
上記種々の変更を加えた装飾具においては、装飾本体部が筒部の側面に取り付けられているとともに、無線イヤホンの軸部は、筒部に挿通されている。そのため、筒部に取り付けられた装飾本体部は、無線イヤホンに取り付けられているようにみえる。さらに、前記装飾具を取り付けた無線イヤホンを使用する場合、使用者の耳たぶにイヤリングを固定したような自然な装飾感が得られる。したがって、無線イヤホンの使用者の耳元を簡単に装飾することができる。
【００６６】
また、上記実施形態の装飾具１に対し、取付部１１の構成と、装飾部１０の構成が異なり、ほかの構成が同一であるようにしてもよい。ここで、同一の構成については、説明を省略する。具体的に、上記実施形態の装飾具１において、筒部１１０の底部１１０４を閉塞する底壁部１１１は、外面から下方に延設される舌片部１１１２を備えず、また、装飾本体部１０１は、筒部１１０に取り付けられていてもよい。
【００６７】
さらに、前記装飾本体部１０１は、平板面が筒部１１０に面接触するように直接固定されていてもよいし、また、他の取付け手段を用いて、装飾本体部１０１が間接的に筒部１１０に固定されていてもよい。
【００６８】
以上、上記構成の装飾具１によれば、軸部２１に筒部１１０を外嵌させる際、筒部１１０内に設けられた突部１１０１により、軸部２１が保持されるため、軸部２１が筒部１１０から抜けることが防止される。また、前記装飾具１では装飾本体部１０１が筒部１１０の側面に取り付けられている。そのため、軸部２１が挿入された筒部１１０の側面に取り付けられる装飾本体部１０１は、軸部２１の側面に取り付けられているような外観とすることができる。さらに、前記装飾具１を取り付けた無線イヤホン２を使用する場合、使用者の耳たぶにイヤリングを固定したような自然な装飾感を得ることができる。
【００６９】
また、上記実施形態では、筒部１１０は弾性変形可能な素材で形成されている場合について説明したが、これだけに限られず、例えば、筒部１１０の外面は弾性変形可能であるのと同時に使用者が指で掴んだ際に滑りにくくするように形成されていてもよい。
【００７０】
また、上記実施形態では、筒部１１０は軸部２１の先端部２１０側に外嵌されるように形成されていたが、これに限られず、例えば、前記筒部１１０は無線イヤホン２の軸部２１の全長を外嵌できるように構成されていてもよい。加えて、上記実施形態では、筒部１１０の内径は、先端部１１００側から底部１１０４側へむけて縮径するテーパ状であるように形成されていたが、これに限らず、例えば、筒部１１０の内径は、φＡが一定であってもよい。さらに、前記筒部１１０の内径は、先端部１１００側から底部１１０４側へむけて拡径されていてもよい。また、上記実施形態では、筒部１１０は、軸部２１と同様に内面が楕円筒状に形成されていたが、これに限られず、例えば、円柱状であってもよい。
【００７１】
また、上記実施形態では、突部１１０１は、筒部１１０の内面上に四つ形成されていたが、これに限らず、周方向に間隔をあけて複数（例えば２つ又は３つ以上）形成されていればよい。さらに、上記実施形態では、突部１１０１は高突部１１０２と低突部１１０３とを備えていたが、これに限らず、すべての突部１１０１が同じ突出高さであってもよい。
【００７２】
また、上記実施形態では、突部１１０１は、軸方向において連続するように形成されていたが、これに限らず、例えば、前記突部１１０１は、軸方向において等間隔に複数形成されていてもよい。
【００７３】
また、上記実施形態では、図４に示すように、突部１１０１は、筒部１１０の先端部１１００側から底部１１０４側へかけて、径内側への突出高さが低くなるように形成されていたが、これに限られず、例えば、突部１１０１は、筒部１１０の先端部１１００側から底部１１０４側へかけて突出高さが高くなるように形成されていてもよい。さらに、前記突部１１０１の突出高さが一定であってもよい。
【００７４】
また、上記実施形態においては、図１に示すように、二つの湾曲部１１１６が底壁部１１１の下端（底端部１１１５）を介して連続していたが、これに限られず、例えば、底壁部１１１の下端を径内方向に細くして、二つの湾曲部１１１６を近づけてもよい。
【００７５】
また、上記実施形態では、連結索状体１００は一定の大きさのリング部材から形成されていたが、これに限られず、様々な大きさのリング部材を用いてもよい。さらに、前記リング部材をできるだけ小さくすることにより、装飾本体部１０１を目立たせるようにしてもよい。
【００７６】
また、上記実施形態においては、連結索状体１００は複数のリング部材にから形成されていたが、これに限られず、例えば、紐部材から形成されていてもよい。
【００７７】
また、上記実施形態において、リング部材に取り付けられたチャームは二つであったが、これに限られず、チャームは一つであってもよいし、三つ以上であってもよい。
【符号の説明】
【００７８】
１：装飾具、１０：装飾部、１００：連結索状体、１０１：装飾本体部、１１：取付部、１１０：筒部、１１００：先端部、１１０１：突部、１１０２：高突部、１１０３：低突部、１１０４：底部、１１０５：先端縁、１１１：底壁部、１１１０：凹部、１１１１：当接部、１１１２：舌片部、１１１３：緩斜部、１１１４：急斜部、１１１５：底端部、１１１６：湾曲部、１１１７：挿通孔、２：無線イヤホン、２０：イヤホン本体、２１：軸部、２１０：先端部、２１１：充電用端子、２１２：周縁部、φＡ：筒部の内径、φＢ：筒部の内径、φＣ：高突部の突出頂部から中心軸線との距離、φＸ：軸部の外径、Ｌ：中心軸線
【図１】
0003224339.tif 000003
【図２】
0003224339.tif 000004
【図３】
0003224339.tif 000005
【図４】
0003224339.tif 000006
【図５】
0003224339.tif 000007